(57)【要約】【課題】都市ごみの焼却炉から発生する排ガス中に含まれる有害物質を除去する排ガス浄化処理用バグフィルタについて、浄化処理用濾布収容ケーシング内の排ガスの流れを緩和して、均一な上昇流を生じるようにする。濾布の摩耗および破損を可及的に防止し、濾布の寿命を大幅に増大する。運転コストの大幅ダウンが可能な経済性の高い排ガス浄化処理用バグフィルタを提供する。【解決手段】バグフィルタは、ケーシング２下部のホッパ部３が複数の角錐状ホッパゾーン３Ａ〜３Ｄに区分され、各角錐状ホッパゾーン３Ａ〜３Ｄの前壁に、排ガス流入口１０が設けられている。各角錐状ホッパゾーンの内部に、奥行き方向に所定間隔おきに左右一対ずつ複数組の垂直方向にのびる縦長分流板２１，２２，２４，２５が配置され、排ガス流入口１０に近い組の分流板２１，２２同士の間の間隙２３の幅が広く、これより奥の組の分流板２４，２５同士の間の間隙２６の幅が、順次狭いものとなされている。【選択図】　　図１
2004008947.tif 000002
【特許請求の範囲】
【請求項１】
バグフィルタケーシング下部のホッパ部が複数の角錐状ホッパゾーンに区分され、各角錐状ホッパゾーンの前壁に、排ガス流入口が設けられ、各角錐状ホッパゾーンの内部に、奥行き方向に所定間隔おきに左右一対ずつ複数組の垂直方向にのびる縦長分流板が排ガス流入口に対向するように配置され、排ガス流入口に最も近い組の左右縦長分流板同士の間の排ガス通過用間隙の左右幅が広く、これより奥の組の左右縦長分流板同士の間の排ガス通過用間隙の左右幅が、奥に至るものほど順次狭いものとなされており、排ガス流入口から水平方向に流入する排ガスが、排ガス流入口より一番目の組の垂直方向にのびる縦長分流板に当たって上昇流へと流れの方向を転換せしめられる所定量の排ガス部分と、同組の左右縦長分流板同士の間の排ガス通過用間隙を通過する残部の排ガス部分とに分流せしめられ、排ガス通過用間隙を通過した排ガス部分が、次の組の垂直方向にのびる縦長分流板に当たって上昇流へと流れの方向を転換せしめられる所定量の排ガス部分と、同組の左右縦長分流板同士の間の排ガス通過用間隙を通過する残部の排ガス部分とに分流せしめられ、排ガス通過用間隙を通過した排ガス部分が、以下順次同様に流れて、最終組の左右縦長分流板同士の間の排ガス通過用間隙を通過した排ガス部分が、角錐状ホッパゾーンの後壁に当たって上昇流へと流れの方向を転換せしめられて、流入排ガスが、ホッパ部全体として均等に上昇流に転換せしめられるようになされていることを特徴とする、排ガス浄化処理用バグフィルタ。
【請求項２】
各組の左右縦長分流板の左右幅が、それぞれ上方に至るほど順次広いものとなされている請求項１記載のバグフィルタ。
【請求項３】
各組の左右縦長分流板の排ガス通過用間隙側の側縁部が、それぞれ垂直状となされ、各組の左右縦長分流板の排ガス通過用間隙と反対側の側縁部が、角錐状ホッパゾーンの左右壁の内面に沿う傾斜状となされている請求項２記載のバグフィルタ。
【請求項４】
バグフィルタケーシング下部のホッパ部が区分されて形成された複数の角錐状ホッパゾーンのうち、少なくとも１つの角錐状ホッパゾーンの内部に、奥行き方向に所定間隔おきに左右水平方向にのびる横長分流板が排ガス流入口に対向するように配置され、排ガス流入口に最も近い左右水平方向にのびる横長分流板の上下幅が狭くかつ該横長分流板より下側の排ガス通過用間隙の上下幅が広いものとなされ、これより奥の左右水平方向にのびる横長分流板の上下幅が奥に至るものほど順次広いものとなされかつ該横長分流板より下側の排ガス通過用間隙の上下幅が奥に至るものほど順次狭いものとなされており、排ガス流入口から水平方向に流入する排ガスが、排ガス流入口より一番目の左右水平方向にのびる横長分流板に当たって上昇流へと流れの方向を転換せしめられる所定量の排ガス部分と、横長分流板より下側の排ガス通過用間隙を通過する残部の排ガス部分とに分流せしめられ、排ガス通過用間隙を通過した排ガス部分が、次の左右水平方向にのびる横長分流板に当たって上昇流へと流れの方向を転換せしめられる所定量の排ガス部分と、同横長分流板より下側の排ガス通過用間隙を通過する残部の排ガス部分とに分流せしめられ、排ガス通過用間隙を通過した排ガス部分が、以下順次同様に流れて、最終の横長分流板より下側の排ガス通過用間隙を通過した排ガス部分が、角錐状ホッパゾーンの後壁に当たって上昇流へと流れの方向を転換せしめられて、流入排ガスが、ホッパ部全体として均等に上昇流に転換せしめられるようになされていることを特徴とする、請求項１記載の排ガス浄化処理用バグフィルタ。
【請求項５】
各横長分流板の排ガス通過用間隙側の下側縁部が水平状となされ、各横長分流板の左右両側縁部が、角錐状ホッパゾーンの左右壁の内面に沿う傾斜状となされている請求項４記載のバグフィルタ。
【請求項６】
バグフィルタケーシング下部のホッパ部が、少なくとも３つの角錐状ホッパゾーンに区分され、各角錐状ホッパゾーンの前壁に、排ガス流入口が設けられ、中央側の角錐状ホッパゾーンの内部に、奥行き方向に所定間隔おきに左右一対ずつ複数組の垂直方向にのびる縦長分流板が排ガス流入口に対向するように配置され、左右両外側の角錐状ホッパゾーンの内部に、奥行き方向に所定間隔おきに左右水平方向にのびる横長分流板が排ガス流入口に対向するように配置されている、請求項１記載のバグフィルタ。
【請求項７】
バグフィルタケーシング下部のホッパ部が４つの角錐状ホッパゾーンに区分され、各角錐状ホッパゾーンの前壁に、排ガス流入口が設けられ、中央側２つの角錐状ホッパゾーンの内部に、それぞれ奥行き方向に所定間隔おきに左右一対ずつ複数組の垂直方向にのびる縦長分流板が排ガス流入口に対向するように配置され、左右両外側の角錐状ホッパゾーンの内部に、それぞれ奥行き方向に所定間隔おきに左右水平方向にのびる横長分流板が排ガス流入口に対向するように配置されている、請求項１記載のバグフィルタ。
【請求項８】
角錐状ホッパゾーンの内部に、奥行き方向に所定間隔おきに排ガス流入口に対向するように配置される左右一対の垂直方向にのびる縦長分流板の組数が、２〜５組である、請求項１〜３、請求項６および請求項７のうちのいずれか一項記載のバグフィルタ。
【請求項９】
角錐状ホッパゾーンの内部に、奥行き方向に所定間隔おきに排ガス流入口に対向するように配置される左右水平方向にのびる横長分流板の枚数が、２〜５枚である、請求項４〜７のうちのいずれか一項記載のバグフィルタ。
【発明の詳細な説明】
【０００１】
【発明の属する技術分野】
本発明は、例えば都市ごみの焼却炉等から発生する排ガス中に含まれるダスト、硫黄酸化物（ＳＯｘ）、塩化水素（ＨＣｌ）、ダイオキシン等の有害物質を除去するために用いられる排ガス浄化処理用バグフィルタに関するものである。
【０００２】
【従来の技術】
従来、この種の排ガス浄化処理用バグフィルタでは、浄化処理用濾布を収容したケーシングの下部のホッパ部の流入口から被処理排ガスが流入して、ケーシング内で上昇流となり、ケーシング頂部から吊り下げられた多数の浄化処理用濾布同士の間の間隙、あるいは濾布自体の布目の隙間内を通過する。この通過の間に、排ガス中に予め吹き込まれた消石灰や特殊助剤が、濾布表面に付着して有害物質吸着層が形成され、通過する排ガス中の有害物質がこの吸着層の表面に吸着により捕集されて、排ガスが浄化され、浄化後の排ガスは、ケーシングの頂部に設けられた出口より外部に放出される。
【０００３】
そして、濾布表面の吸着層が厚くなると、浄化処理用濾布を収容したバグフィルタケーシングの排ガス通過抵抗（通風抵抗）が増大して、ケーシング内での圧力損失が大きくなり、ブロアの負荷が増大するため、定期的に圧縮空気を、バグフィルタケーシングに備えられたヘッダパイプからブローチューブに送り込んで、濾布を内側から逆洗して、濾布表面から有害物質吸着層を剥離させており、剥離された消石灰等を主成分とする有害物質吸着層は、ケーシング下部のホッパ部内に落下して、そこで溜められ、所定期間の経過後に廃棄物としてスクリューコンベヤ等で外部に搬出されて、処理されている。
【０００４】
【発明が解決しようとする課題】
このような従来の排ガス浄化処理用バグフィルタでは、ケーシング下部のホッパ部内にその流入口より水平方向（前後方向）に流入した排ガスは、流入口部分での流速の勢いを失わずにホッパ部の奥部の傾斜後壁に当たって、そこから上昇流となされて、ケーシング上部の浄化処理用濾布収容ゾーンに至るが、このとき、排ガス中に含まれる微粒子が濾布に強く衝突するために、濾布が破損したり、あるいはまた濾布が排ガス流によって大きく揺動してケーシングの内壁に当たったり、濾布同士が互いに擦れ合ったりして、摩耗・破損するという問題があった。
【０００５】
このような問題を解決するためには、バグフィルタのケーシング下部のホッパ部内に前後水平方向に流入した排ガスを、ホッパ部内で一様な上昇流に変換するように整流することが必要である。
【０００６】
しかしながら、ホッパ部内で排ガスの流れを一様化する構造は、濾布の逆洗時に落下した消石灰等よりなる有害物質吸着層の剥離物によってホッパ部内が閉塞しないように工夫する必要があるとともに、装置のメンテナンス時に作業者がケーシングやホッパ部内に入って作業を行なうことができるような構造とする必要がある。さらに、排ガスがホッパ部の流入口に至るまでのダクト内で充分に整流されていない場合には、ホッパ部の流入口から流入する排ガスの流れが偏った流れとなるため、これに対応する構造であることが必要となる。
【０００７】
そこで、従来は、バグフィルタケーシング下部のホッパ部の流入口付近に排ガスの直接流入を防ぐための邪魔板を設けることが行なわれたが、排ガスの流れをケーシング全体に一様化して上昇流とすることは、困難であるという問題があった。
【０００８】
本発明の目的は、上記の従来技術の問題を解決し、浄化処理用濾布を収容したケーシングの下部のホッパ部内に、排ガスの流れに応じた形状および大きさの分流板を設けることにより、ケーシング内の排ガスの流れを緩和して、均一な上昇流を生じるようにすることができ、これによって濾布の摩耗および破損を可及的に防止することができて、濾布の寿命を大幅に増大することができ、かつ濾布の取替え作業の軽減、および濾布使用数の削減が可能となり、運転コストを大幅に低減することができて、経済性が非常に高い、排ガス浄化処理用バグフィルタを提供しようとすることにある。
【０００９】
【課題を解決するための手段】
上記の目的を達成するために、本発明の請求項１の発明による排ガス浄化処理用バグフィルタは、バグフィルタケーシング下部のホッパ部が複数の角錐状ホッパゾーンに区分され、各角錐状ホッパゾーンの前壁に、排ガス流入口が設けられ、各角錐状ホッパゾーンの内部に、奥行き方向に所定間隔おきに左右一対ずつ複数組の垂直方向にのびる縦長分流板が排ガス流入口に対向するように配置され、排ガス流入口に最も近い組の左右縦長分流板同士の間の排ガス通過用間隙の左右幅が広く、これより奥の組の左右縦長分流板同士の間の排ガス通過用間隙の左右幅が、奥に至るものほど順次狭いものとなされており、排ガス流入口から水平方向に流入する排ガスが、排ガス流入口より一番目の組の垂直方向にのびる縦長分流板に当たって上昇流へと流れの方向を転換せしめられる所定量の排ガス部分と、同組の左右縦長分流板同士の間の排ガス通過用間隙を通過する残部の排ガス部分とに分流せしめられ、排ガス通過用間隙を通過した排ガス部分が、次の組の垂直方向にのびる縦長分流板に当たって上昇流へと流れの方向を転換せしめられる所定量の排ガス部分と、同組の左右縦長分流板同士の間の排ガス通過用間隙を通過する残部の排ガス部分とに分流せしめられ、排ガス通過用間隙を通過した排ガス部分が、以下順次同様に流れて、最終組の左右縦長分流板同士の間の排ガス通過用間隙を通過した排ガス部分が、角錐状ホッパゾーンの後壁に当たって上昇流へと流れの方向を転換せしめられて、流入排ガスが、ホッパ部全体として均等に上昇流に転換せしめられるようになされていることを特徴としている。
【００１０】
上記各組の左右縦長分流板の左右幅が、それぞれ上方に至るほど順次広いものとなされているのが、好ましい。
【００１１】
また、上記各組の左右縦長分流板の排ガス通過用間隙側の側縁部が、それぞれ垂直状となされ、各組の左右縦長分流板の排ガス通過用間隙と反対側の側縁部が、角錐状ホッパゾーンの左右壁の内面に沿う傾斜状となされているのが、好ましい。
【００１２】
また、本発明の排ガス浄化処理用バグフィルタにおいては、バグフィルタケーシング下部のホッパ部が区分されて形成された複数の角錐状ホッパゾーンのうち、少なくとも１つの角錐状ホッパゾーンの内部に、奥行き方向に所定間隔おきに左右水平方向にのびる横長分流板が排ガス流入口に対向するように配置され、排ガス流入口に最も近い左右水平方向にのびる横長分流板の上下幅が狭くかつ該横長分流板より下側の排ガス通過用間隙の上下幅が広いものとなされ、これより奥の左右水平方向にのびる横長分流板の上下幅が奥に至るものほど順次広いものとなされかつ該横長分流板より下側の排ガス通過用間隙の上下幅が奥に至るものほど順次狭いものとなされており、排ガス流入口から水平方向に流入する排ガスが、排ガス流入口より一番目の左右水平方向にのびる横長分流板に当たって上昇流へと流れの方向を転換せしめられる所定量の排ガス部分と、横長分流板より下側の排ガス通過用間隙を通過する残部の排ガス部分とに分流せしめられ、排ガス通過用間隙を通過した排ガス部分が、次の左右水平方向にのびる横長分流板に当たって上昇流へと流れの方向を転換せしめられる所定量の排ガス部分と、同横長分流板より下側の排ガス通過用間隙を通過する残部の排ガス部分とに分流せしめられ、排ガス通過用間隙を通過した排ガス部分が、以下順次同様に流れて、最終の横長分流板より下側の排ガス通過用間隙を通過した排ガス部分が、角錐状ホッパゾーンの後壁に当たって上昇流へと流れの方向を転換せしめられて、流入排ガスが、ホッパ部全体として均等に上昇流に転換せしめられるようになされていることが、好ましい。
【００１３】
上記各横長分流板の排ガス通過用間隙側の下側縁部が水平状となされ、各横長分流板の左右両側縁部が、角錐状ホッパゾーンの左右壁の内面に沿う傾斜状となされているのが、好ましい。
【００１４】
上記バグフィルタケーシング下部のホッパ部が、少なくとも３つの角錐状ホッパゾーンに区分され、各角錐状ホッパゾーンの前壁に、排ガス流入口が設けられ、中央側の角錐状ホッパゾーンの内部に、奥行き方向に所定間隔おきに左右一対ずつ複数組の垂直方向にのびる縦長分流板が排ガス流入口に対向するように配置され、左右両外側の角錐状ホッパゾーンの内部に、奥行き方向に所定間隔おきに左右水平方向にのびる横長分流板が排ガス流入口に対向するように配置されているのが、好ましい。
【００１５】
上記バグフィルタケーシング下部のホッパ部が４つの角錐状ホッパゾーンに区分され、各角錐状ホッパゾーンの前壁に、排ガス流入口が設けられ、中央側２つの角錐状ホッパゾーンの内部に、それぞれ奥行き方向に所定間隔おきに左右一対ずつ複数組の垂直方向にのびる縦長分流板が排ガス流入口に対向するように配置され、左右両外側の角錐状ホッパゾーンの内部に、それぞれ奥行き方向に所定間隔おきに左右水平方向にのびる横長分流板が排ガス流入口に対向するように配置されているのが、好ましい。
【００１６】
上記角錐状ホッパゾーンの内部に、奥行き方向に所定間隔おきに排ガス流入口に対向するように配置される左右一対の垂直方向にのびる縦長分流板の組数が、２〜５組であるのが、好ましい。
【００１７】
上記角錐状ホッパゾーンの内部に、奥行き方向に所定間隔おきに排ガス流入口に対向するように配置される左右水平方向にのびる横長分流板の枚数が、２〜５枚であるのが、好ましい。
【００１８】
【発明の実施の形態】
つぎに、本発明の実施の形態を、図面を参照して説明する。
【００１９】
この明細書において、前後、左右は図２を基準とし、前とは図２の下側、後とは同上側をいゝ、また左とは同図の左側、右とは同右側をいゝ、上とは同図図面紙葉の表側、下とは同裏側をいうものとする。
【００２０】
図１〜図４は、本発明の実施形態を示すものである。同図を参照すると、本発明による排ガス浄化処理用バグフィルタ（１）は、多数の並列吊下げ状の浄化処理用濾布（４）を収容したケーシング（２）下部のホッパ部（３）が、４つの角錐状ホッパゾーン（３Ａ）（３Ｂ）（３Ｃ）（３Ｄ）に区分されている。
【００２１】
ここで、各角錐状ホッパゾーン（３Ａ）（３Ｂ）（３Ｃ）（３Ｄ）は、テーパ状の前後壁（１１）（１２）と底壁（１３）とテーパ状の左右壁（１４）（１５）とによって形成され、各角錐状ホッパゾーン（３Ａ）（３Ｂ）（３Ｃ）（３Ｄ）の前壁（１１）に、方形の排ガス流入口（１０）が設けられている。なお、４つの角錐状ホッパゾーン（３Ａ）（３Ｂ）（３Ｃ）（３Ｄ）のうち、相互に隣り合う角錐状ホッパゾーンのテーパ状右壁（１５）の頂部とテーパ状左壁（１４）同士の中間には、前後方向に水平な頂壁（１６）が設けられている。
【００２２】
各角錐状ホッパゾーン（３Ａ）（３Ｂ）（３Ｃ）（３Ｄ）に排ガスを導入する排ガス導入ダクト（６）には、下方に向かって広がる中間ダクト（７）を介してヘッダ部（８）が接続され、このヘッダ部（８）に４つの短い分岐ダクト（９）が接続され、各分岐ダクト（９）の先端が、上記角錐状ホッパゾーン（３Ａ）（３Ｂ）（３Ｃ）（３Ｄ）の前壁（１１）の排ガス流入口（１０）に連通せしめられている。
【００２３】
一方、浄化処理用濾布（４）を収容したケーシング（２）の頂部には、浄化後の排ガスを外部に導くための処理済み排ガス排出ダクト（５）が設けられている（図４参照）。
【００２４】
そして、上記バグフィルタ（１）の４つの角錐状ホッパゾーン（３Ａ）（３Ｂ）（３Ｃ）（３Ｄ）のうち、ホッパ部（３）中央側の２つの角錐状ホッパゾーン（３Ｂ）（３Ｃ）の内部には、それぞれのホッパゾーン（３Ｂ）（３Ｃ）の奥行き方向の長さ（Ｌ）を３等分する位置に、左右一対ずつ２組の垂直方向にのびる縦長分流板（２１）（２２）および縦長分流板（２４）（２５）が排ガス流入口（１０）に対向するように配置されている。
【００２５】
これらのうち、排ガス流入口（１０）に最も近い組の左右縦長分流板（２１）（２２）同士の間の排ガス通過用間隙（２３）の左右幅が広くすなわち流入口幅（Ｗ）の２／３と広くなされるとともに、これより奥側の左右縦長分流板（２４）（２５）同士の間の排ガス通過用間隙（２６）の左右幅が狭くすなわち流入口幅（Ｗ）の１／３と狭くなされて、排ガスの流量が調整されるようになされているものである（図２参照）。
【００２６】
また、各組の左右縦長分流板（２１）（２２）および縦長分流板（２４）（２５）の左右幅が、それぞれ上方に至るほど順次広いものとなされている。さらに、各組の左右縦長分流板（２１）（２２）および縦長分流板（２４）（２５）の排ガス通過用間隙（２３）（２６）側の側縁部が、それぞれ垂直状となされ、各組の左右縦長分流板（２１）（２２）および縦長分流板（２４）（２５）の排ガス通過用間隙（２３）（２６）と反対側の側縁部が、中央側の２つの角錐状ホッパゾーン（３Ｂ）（３Ｃ）の左右壁（１４）（１５）の内面に沿う傾斜状となされて、これら左右壁（１４）（１５）に固定されている（図３参照）。
【００２７】
これに対し、バグフィルタケーシング（２）下部のホッパ部（３）の左右両外側の角錐状ホッパゾーン（３Ａ）（３Ｄ）の内部には、ホッパゾーン（３Ａ）（３Ｄ）の奥行き方向の長さ（Ｌ）を３等分する位置に、左右水平方向にのびる横長分流板（３１）（３２）が排ガス流入口（１０）に対向するように配置されている。
【００２８】
そして、これらの横長分流板（３１）（３２）は、その上端のレベルがそろえられるとともに、排ガス流入口（１０）に最も近い横長分流板（３１）の上下幅が狭くすなわち流入口高さ（Ｈ）の１／３と狭いものとなされ、かつ該横長分流板（３１）より下側の排ガス通過用間隙（３３）の上下幅が広いすなわち流入口高さ（Ｈ）の２／３と広いものとなされている。そして、これより奥の横長分流板（３２）の上下幅が広くすなわち流入口高さ（Ｈ）の２／３と広いものとなされかつ該横長分流板（３２）より下側の排ガス通過用間隙（３４）の上下幅が狭いすなわち流入口高さ（Ｈ）の１／３と狭いものとなされて、排ガスの流量が調整されるようになされているものである（図３参照）。
【００２９】
また、各横長分流板（３１）（３２）の排ガス通過用間隙（３３）（３４）側の下側縁部が水平状となされ、各横長分流板（３１）（３２）の左右両側縁部が、角錐状ホッパゾーン（３Ａ）（３Ｄ）の左右壁の内面に沿う傾斜状となされている。
【００３０】
上記排ガス浄化処理用バグフィルタ（１）において、ケーシング（２）下部のホッパ部（３）中央側の２つの角錐状ホッパゾーン（３Ｂ）（３Ｃ）においては、これらの排ガス流入口（１０）から水平かつ前後方向に流入する排ガスが、流入口（１０）より一番目の組の第１縦長分流板（２１）（２２）に当たって上昇流へと流れの方向を転換せしめられる所定量の排ガス部分と、同組の左右縦長分流板（２１）（２２）同士の間の排ガス通過用間隙（２３）を通過する残部の排ガス部分とに分流せしめられる。
【００３１】
さらに、排ガス通過用間隙（２３）を通過した排ガス部分が、次の組の垂直方向にのびる第２縦長分流板（２４）（２５）に当たって上昇流へと流れの方向を転換せしめられる所定量の排ガス部分と、同組の左右縦長分流板（２４）（２５）同士の間の排ガス通過用間隙（２６）を通過する残部の排ガス部分とに分流せしめられ、ついで、排ガス通過用間隙（２６）を通過した排ガス部分が、最終的に、角錐状ホッパゾーン（３Ｂ）（３Ｃ）のテーパ状の後壁（１２）に当たって上昇流へと流れの方向を転換せしめられて、流入排ガスが、ホッパ部（３）全体として均等に上昇流に転換せしめられるようになされている。
【００３２】
これに対し、ケーシング（２）下部のホッパ部（３）左右両外側の角錐状ホッパゾーン（３Ａ）（３Ｄ）においては、これらの排ガス流入口（１０）から水平かつ前後方向に流入する排ガスが、排ガス流入口（１０）より一番目の横長分流板（３１）に当たって上昇流へと流れの方向を転換せしめられる所定量の排ガス部分と、横長分流板（３１）より下側の排ガス通過用間隙（３３）を通過する残部の排ガス部分とに分流せしめられる。
【００３３】
さらに、排ガス通過用間隙（３３）を通過した排ガス部分が、次の横長分流板（３２）に当たって上昇流へと流れの方向を転換せしめられる所定量の排ガス部分と、同横長分流板（３２）より下側の排ガス通過用間隙（３４）を通過する残部の排ガス部分とに分流せしめられ、ついで、排ガス通過用間隙（３４）を通過した排ガス部分が、最終的に、角錐状ホッパゾーン（３Ａ）（３Ｄ）のテーパ状後壁（１２）に当たって上昇流へと流れの方向を転換せしめられて、流入排ガスが、ホッパ部（３）全体として均等に上昇流に転換せしめられるようになされている。
【００３４】
つぎに、図５は、上記本発明の排ガス浄化処理用バグフィルタ（１）のケーシング（２）下部のホッパ部（３）に、実際に排ガスを導入して、排ガスの浄化処理を行なった際の、排ガスの流速ベクトルを描写したフローパターンの解析結果を示すものである。
【００３５】
同図から明らかなように、本発明の排ガス浄化処理用バグフィルタ（１）によれば、ケーシング（２）下部のホッパ部（３）を４つの角錐状ホッパゾーン（３Ａ）（３Ｂ）（３Ｃ）（３Ｄ）に区分するとともに、これらの角錐状ホッパゾーン（３Ａ）（３Ｂ）（３Ｃ）（３Ｄ）に、流入する排ガスの偏流状況に応じて、垂直方向にのびる縦長分流板（２１）（２２）（２４）（２５）、あるいはまた左右水平方向にのびる横長分流板（３１）（３２）を設けることにより、各角錐状ホッパゾーン（３Ａ）（３Ｂ）（３Ｃ）（３Ｄ）の排ガス流入口（１０）から見える縦長分流板（２１）（２２）（２４）（２５）あるいはまた横長分流板（３１）（３２）のそれぞれの投影面積分に衝突する排ガスが、分流板（２１）（２２）（２４）（２５）（３１）（３２）のところで一旦水平流に変化した後、上昇流となれ、これによって、排ガスは、上昇流、水平流ともに穏やかな流れになっている。
【００３６】
こうして、本発明の排ガス浄化処理用バグフィルタ（１）によれば、ケーシング（２）内の排ガスの流れを緩和して、濾布（４）収容ゾーンにおいて均一な上昇流を生じるようにすることができ、これによって濾布（４）の摩耗・破損を防止することができて、濾布（４）の寿命が大幅に増大するものである。
【００３７】
また、本発明のバグフィルタ（１）によれば、濾布（４）の取替え作業の軽減、および濾布（４）の使用枚数の削減が可能となり、運転コストを大幅に低減することができて、経済性が非常に高いものである。
【００３８】
また、図６は、バグフィルタ（１）のケーシング（２）下部のホッパ部（３）内に、縦長分流板および横長分流板をいずれも設置していない参考の実験例を示すもので、ケーシング（２）下部のホッパ部（３）に、実際に排ガスを導入して、排ガスの浄化処理を行なった際の、排ガスの流速ベクトルを描写したフローパターンの解析結果を示すものである。
【００３９】
同図から明らかなように、この場合には、ホッパ部（３）の各角錐状ホッパゾーン（３Ａ）（３Ｂ）（３Ｃ）（３Ｄ）の排ガス流入口（１０）から流入した排ガスは、その流速が減衰せず、排ガス流は、角錐状ホッパゾーン（３Ａ）（３Ｂ）（３Ｃ）（３Ｄ）のテーパ状後壁（１２）に当たって高速で上昇し、このため浄化処理用濾布（４）収容ゾーンでは、大きな横流れが生じており、多数の並列吊下げ状の浄化処理用濾布（４）が揺動して、濾布（４）の下端部にダメージを与える原因となっているものである。
【００４０】
なお、上記実施形態においては、排ガス浄化処理用バグフィルタ（１）のケーシング（２）下部のホッパ部（３）が、４つの角錐状ホッパゾーン（３Ａ）（３Ｂ）（３Ｃ）（３Ｄ）に区分されているが、ホッパ部（３）は、少なくとも３つの角錐状ホッパゾーン（３Ａ）（３Ｂ）（３Ｃ）に区分されておれば良い。
【００４１】
また、角錐状ホッパゾーン（３Ａ）（３Ｂ）（３Ｃ）（３Ｄ）の内部に、奥行き方向に所定間隔おきに排ガス流入口（１０）に対向するように配置される左右一対の垂直方向にのびる縦長分流板（２１）（２２）（２４）（２５）の組数が、上記実施形態においては、２組であるが、バグフィルタ（１）のケーシング（２）下部のホッパ部（３）の大きさによっては、３〜５組であっても良い。
【００４２】
また、角錐状ホッパゾーン（３Ａ）（３Ｂ）（３Ｃ）（３Ｄ）の内部に、奥行き方向に所定間隔おきに排ガス流入口（１０）に対向するように配置される左右水平方向にのびる横長分流板の枚数が、上記実施形態においては、２枚であるが、バグフィルタ（１）のケーシング（２）下部のホッパ部（３）の大きさによっては、３〜５枚であっても良い。
【００４３】
ここで、例えば各角錐状ホッパゾーン（３Ａ）（３Ｂ）（３Ｃ）（３Ｄ）の排ガス流入口（１０）の流れにおいて、上下方向の偏流が大きく、左右水平方向の偏流が小さい場合には、垂直方向にのびる縦長分流板（２１）（２２）（２４）（２５）を設置するのが、効果的であり、逆に、左右水平方向の偏流が大きく、上下方向の偏流が小さい場合には、水平分流板（３１）（３２）を設置するのが、効果的である。
【００４４】
また、縦長分流板（２１）（２２）（２４）（２５）あるいは横長分流板（３１）（３２）を設ける位置は、ホッパ部（３）内を均等に分割する位置が望ましく、また分流板の設置数も、多い方が排ガス流の流れを一様化する効果が大きいものであるが、バグフィルタ（１）のメンテナンスなどで作業者がホッパ部（３）内に入ることができる程度の間隔を確保する必要があり、分流板の設置数は、この作業性を考慮して決定すればよい。
【００４５】
また、これらの縦長分流板（２１）（２２）（２４）（２５）および横長分流板（３１）（３２）の配置は、上記実施形態のものに限定されず、バグフィルタ（１）のケーシング（２）内の濾布収容ゾーンの排ガスの流れを緩和して、均一な上昇流を生じるように、適宜の配置が可能である。
【００４６】
【発明の効果】
本発明の請求項１記載の排ガス浄化処理用バグフィルタは、上述のように、バグフィルタケーシング下部のホッパ部が複数の角錐状ホッパゾーンに区分され、各角錐状ホッパゾーンの前壁に、排ガス流入口が設けられ、各角錐状ホッパゾーンの内部に、奥行き方向に所定間隔おきに左右一対ずつ複数組の垂直方向にのびる縦長分流板が排ガス流入口に対向するように配置され、排ガス流入口に最も近い組の左右縦長分流板同士の間の排ガス通過用間隙の左右幅が広く、これより奥の組の左右縦長分流板同士の間の排ガス通過用間隙の左右幅が、奥に至るものほど順次狭いものとなされており、排ガス流入口から水平方向に流入する排ガスが、排ガス流入口より一番目の組の垂直方向にのびる縦長分流板に当たって上昇流へと流れの方向を転換せしめられる所定量の排ガス部分と、同組の左右縦長分流板同士の間の排ガス通過用間隙を通過する残部の排ガス部分とに分流せしめられ、排ガス通過用間隙を通過した排ガス部分が、次の組の垂直方向にのびる縦長分流板に当たって上昇流へと流れの方向を転換せしめられる所定量の排ガス部分と、同組の左右縦長分流板同士の間の排ガス通過用間隙を通過する残部の排ガス部分とに分流せしめられ、排ガス通過用間隙を通過した排ガス部分が、以下順次同様に流れて、最終組の左右縦長分流板同士の間の排ガス通過用間隙を通過した排ガス部分が、角錐状ホッパゾーンの後壁に当たって上昇流へと流れの方向を転換せしめられて、流入排ガスが、ホッパ部全体として均等に上昇流に転換せしめられるようになされているもので、本発明の排ガス浄化処理用バグフィルタによれば、浄化処理用濾布を収容したケーシングの下部のホッパ部内に、排ガスの流れに応じた形状および大きさの分流板を設けることにより、ケーシング内の排ガスの流れを緩和して、均一な上昇流を生じるようにすることができ、これによって濾布の摩耗および破損を可及的に防止することができて、濾布の寿命を大幅に増大することができる。また、濾布の取替え作業の軽減、および濾布使用数の削減が可能となり、運転コストを大幅に低減することができて、経済性が非常に高いものであるという効果を奏する。
【００４７】
また、本発明の排ガス浄化処理用バグフィルタにおいては、バグフィルタケーシング下部のホッパ部が区分されて形成された複数の角錐状ホッパゾーンのうち、少なくとも１つの角錐状ホッパゾーンの内部に、奥行き方向に所定間隔おきに左右水平方向にのびる横長分流板が排ガス流入口に対向するように配置され、排ガス流入口に最も近い左右水平方向にのびる横長分流板の上下幅が狭くかつ該横長分流板より下側の排ガス通過用間隙の上下幅が広いものとなされ、これより奥の左右水平方向にのびる横長分流板の上下幅が奥に至るものほど順次広いものとなされかつ該横長分流板より下側の排ガス通過用間隙の上下幅が奥に至るものほど順次狭いものとなされており、排ガス流入口から水平方向に流入する排ガスが、排ガス流入口より一番目の左右水平方向にのびる横長分流板に当たって上昇流へと流れの方向を転換せしめられる所定量の排ガス部分と、横長分流板より下側の排ガス通過用間隙を通過する残部の排ガス部分とに分流せしめられ、排ガス通過用間隙を通過した排ガス部分が、次の左右水平方向にのびる横長分流板に当たって上昇流へと流れの方向を転換せしめられる所定量の排ガス部分と、同横長分流板より下側の排ガス通過用間隙を通過する残部の排ガス部分とに分流せしめられ、排ガス通過用間隙を通過した排ガス部分が、以下順次同様に流れて、最終の横長分流板より下側の排ガス通過用間隙を通過した排ガス部分が、角錐状ホッパゾーンの後壁に当たって上昇流へと流れの方向を転換せしめられて、流入排ガスが、ホッパ部全体として均等に上昇流に転換せしめられるようになされているもので、本発明のバグフィルタによれば、複数の角錐状ホッパゾーンの排ガス流入口の流れにおいて、上下方向の偏流が大きく、左右水平方向の偏流が小さい場合には、垂直方向にのびる縦長分流板を設置するのが、効果的であり、逆に、左右水平方向の偏流が大きく、上下方向の偏流が小さい場合には、水平分流板を設置するのが、効果的であって、いずれにしても、ケーシングの下部のホッパ部内に、排ガスの流れに応じた形状および大きさの分流板を設けることにより、ケーシング内の排ガスの流れを緩和して、均一な上昇流を生じるようにすることができ、これによって濾布の摩耗および破損を可及的に防止することができて、濾布の寿命を大幅に増大することができるという効果を奏する。
【図面の簡単な説明】
【図１】本発明の実施形態を示す排ガス浄化処理用バグフィルタの概略斜視図である。
【図２】同バグフィルタのケーシング下部のホッパ部部分の拡大水平断面図である。
【図３】図２イーイ線に沿う拡大垂直断面図である。
【図４】図２ローロ線に沿う拡大垂直断面図である。
【図５】本発明のバグフィルタの実験例を示すもので、ケーシング下部のホッパ部における排ガスの流速ベクトルを描写した拡大水平断面図である。
【図６】バグフィルタの参考実験例を示すもので、バグフィルタ内には縦長分流板および横長分流板は設置されておらず、ケーシング下部のホッパ部における排ガスの流速ベクトルを描写した拡大水平断面図である。
【符号の説明】
（１）：排ガス浄化処理用バグフィルタ
（２）：ケーシング
（３）：ホッパ部
（Ｌ）：奥行き方向の長さ
（３Ａ）：角錐状ホッパゾーン
（３Ｂ）：角錐状ホッパゾーン
（３Ｃ）：角錐状ホッパゾーン
（３Ｄ）：角錐状ホッパゾーン
（４）：浄化処理用濾布
（６）：排ガス導入ダクト
（８）：ヘッダ部
（９）：分岐ダクト
（１０）：排ガス流入口
（Ｗ）：流入口幅
（Ｈ）：流入口高さ
（１１）：テーパ状の前壁
（１２）：テーパ状の後壁
（１３）：底壁
（１４）：テーパ状の左壁
（１５）：テーパ状の右壁
（２１）：縦長分流板
（２２）：縦長分流板
（２３）：排ガス通過用間隙
（２４）：縦長分流板
（２５）：縦長分流板
（２６）：排ガス通過用間隙
（３１）：横長分流板
（３２）：横長分流板
（３３）：排ガス通過用間隙
（３４）：排ガス通過用間隙
【図１】
2004008947.tif 000003
【図２】
2004008947.tif 000004
【図３】
2004008947.tif 000005
【図４】
2004008947.tif 000006
【図５】
2004008947.tif 000007
【図６】
2004008947.tif 000008